(57)【特許請求の範囲】
【請求項１】
飲料抽出機（１）の電源をＯＮして、湯沸かしタンク（５）を加温し、湯沸かしタンク（５）内の高温となった高温の湯をコーヒー粉、紅茶葉等に注ぎ、暖かい抽出液として抽出し、この抽出液を保温容器（１１）内に貯え、保温すると共に保温容器（１１）の電気回路機構が飲料抽出機に保温容器（１１）をセットした状態で、飲料抽出機に入る電源より分離された一部電源で保温容器（１１）を暖める保温手段（Ａ）と、保温容器（１１）の充電器（１７）を充電する充電手段（Ｃ）と、保温容器（１１）の電動ポンプ（２７）を駆動して保温容器（１１）内の抽出液を注水する注水手段（Ｂ）と、飲料抽出機より保温容器（１１）を離脱した状態でのみ、保温容器（１１）の充電された充電器（１７）の電源にて保温容器（１１）の電動ポンプ（２７）を駆動する充電器動作手段（Ｄ）とを備え、飲料時に保温容器（１１）の電気回路機構を介して保温容器（１１）の電動ポンプ（２７）を駆動し、保温容器（１１）の抽出液を注水することを特徴とした飲料抽出機の保温容器。
【発明の詳細な説明】
【０００１】
【産業上の利用分野】
本発明は飲料抽出機からのコーヒー、紅茶等の抽出液を保温し、かつ電気的に操作して注水自在とした保温容器に関するものである。
【０００２】
【従来の技術】
従来、業務用として用いられる飲料抽出機は、給水タンクと、ヒータを備えた有底筒状の湯沸かしタンクと、給水タンクと湯沸かしタンクとを連結する給水パイプと、コーヒー粉、紅茶葉等をセットするチャンバーと、湯沸かしタンク内の沸騰水をチャンバー上方へ導くを吐出パイプと、チャンバー底面より抽出された抽出液を貯える保温容器と、保温容器を載置し保温容器内の抽出液を保温するウォーマーとを具備し、給水タンクに所望の水を給水すると給水パイプを通じて湯沸かしタンク内に入り、この湯沸かしタンク内の水がヒータにて加熱されて沸騰する。
【０００３】
更に、給水タンクに必要とする所定の水を追加すると給水パイプを通じて湯沸かしタンク内に追加の水が供給され、湯沸かしタンク内でこの追加の水に相当する沸騰水がサイホン現象の働きにて吐出パイプを通じてチャンバー上部へ吐出される。このチャンバーには濾紙を敷いた後、コーヒー粉、紅茶葉等の原料をセットし、このチャンバー上部より吐出された沸騰水は原料と混合し、チャンバー下部より抽出液となって滴下され、容器内に溜められる。
【０００４】
この保温容器はチャンバー下方から抽出された暖かいコーヒー、紅茶等の抽出液を貯えるガラス製一重瓶の内容器と、内容器内の抽出液を保温し、内容器底面に張設した薄平板状マイカヒ−タの保温ヒ−タと、内容器を囲んだ外装ケースと、外装ケース下端を覆う底部材と、電動ポンプ、揚水パイプを介して内容器の抽出液を外部へ注水する注水機構と、内容器内の抽出液量を表示する液量表示機構と、注水機構を駆動する駆動手段と、保温ヒータ、駆動手段を操作する電気回路機構とを具備している。
【０００５】
【発明が解決しようとする課題】
ところが、この種の飲料抽出機の保温容器にあっては、保温容器が飲料抽出機のウォーマーに載置されているときには、飲料抽出機からの抽出液を貯蔵できると共にこの貯えられた抽出液を適温に暖めることができるが、コップ等へ注ぐ際に一旦ウォーマーより保温容器を取り外し、重量の嵩張る保温容器を持ち上げ、傾ける操作が煩わしい作業となり、使用に際して効率の悪いものであった。特に飲み場所と飲料抽出機載置場所とが離れている際には、重量の嵩張る保温容器をいちいち飲み場所にて持ち上げねばならず、また飲み場所と飲料抽出機載置場所とを往復しなければならず、煩わしい作業となって、使用に際して効率が非常に悪いという問題点があった。
【０００６】
そこで、本発明はこのような従来の飲料抽出機の保温容器が有していた課題を解決したものであって、保温容器が飲料抽出機にセットされた状態で、この保温容器に家庭用又は業務用の電源を直接供給できて、飲料抽出機からの抽出液を保温容器内に貯蔵できると共にこの抽出液を保温しつつ、保温容器を持ち上げ、傾けることなく、保温容器内の抽出液を注水可能とし、保温容器が飲料抽出機から離れた状態でも保温容器内の抽出液を保温すると共に保温容器を傾けることなく、保温容器内の電源で注水可能として使用に際して非常に効率の良いことを目的とした飲料抽出機の保温容器を提供するにある。
【０００７】
【課題を解決するための手段】
上記目的を達成するために、本発明の飲料抽出機用の保温容器１１は、飲料抽出機１の電源をＯＮして、湯沸かしタンク５を加温し、湯沸かしタンク５内の高温となった高温の湯をコーヒー粉、紅茶葉等に注ぎ、暖かい抽出液として抽出し、この抽出液を保温容器１１内に貯え、保温すると共に保温容器１１の電気回路機構が飲料抽出機に保温容器１１をセットした状態で、飲料抽出機に入る電源より分離された一部電源で保温容器１１を暖める保温手段Ａと、保温容器１１の充電器１７を充電する充電手段Ｃと、保温容器１１の電動ポンプ２７を駆動して保温容器１１内の抽出液を注水する注水手段Ｂと、飲料抽出機より保温容器１１を離脱した状態でのみ、保温容器１１の充電された充電器１７の電源にて保温容器１１の電動ポンプ２７を駆動する充電器動作手段Ｄとを備え、飲料時に保温容器１１の電気回路機構を介して保温容器１１の電動ポンプ２７を駆動し、保温容器１１の抽出液を注水する構成としている。
【０００８】
【発明の実施の形態】
以下、本発明の実施例について図に基づき説明する。
図中、図１は本発明実施例の保温容器をセットした状態の飲料抽出機の縦断面図、
図２は本発明実施例の保温容器の縦断面図、図３は本発明実施例のフロ−チャ−ト図、図４は本発明実施例の概略回路図である。
【０００９】
飲料抽出機１は特にオフィス等で使用される業務用のものであって、図１に示すように、装置本体内上部の給水タンク２と、装置本体内に配置した沸騰用のヒータ３を備えた熱板４と、この熱板４上に載置した湯沸かしタンク５と、湯沸かしタンク５の上端開口を閉鎖する密閉蓋６と、給水タンク２と湯沸かしタンク５とを連結する給水パイプ７と、装置本体の上端開口を閉鎖する装置本体用蓋８と、コーヒー粉、紅茶葉等の原料をセットするすりばち状のチャンバー９と、湯沸かしタンク５内の沸騰水をチャンバー９上方へ導く吐出パイプ１０と、保温容器１１を載置するチャンバー下方の載置部１２と、家庭用又は業務用のコンセントからの電源をコントロールするマイクロコンピュータによる電気回路機構とからなっている。この飲料抽出機１の載置部１２は保温容器１１の電源供給用のプラグ２１を差し込む保温容器用のコンセントを設けている。
【００１０】
保温容器１１は図２に示すように、飲料抽出機１のチャンバー９から抽出液を貯える内容器１３と、内容器１３の外壁底部に内容器内の抽出液を保温する保温手段Ａと、内容器１３を囲んだ外装ケース１９と、外装ケース１９上端の肩部材２０と、外装ケース１９下端の底部材１５と、肩部材２０の上端に着脱自在に装着する蓋体２２と、肩部材２０前方の嘴部２３に設けたスイッチ等を備える操作部２４と、電動ポンプ２７を介して内容器１３の抽出液を外部へ注水する注水手段Ｂと、保温容器１１の充電器１７を充電する充電手段Ｃと、保温容器１１に入力される電源又は充電器１７の電源にて電動ポンプ２７を駆動する駆動切替手段Ｄと、保温容器１１に入力される電源によって、保温手段Ａ、充電器１７、充電手段Ｃ、注水手段Ｂ、駆動切替手段Ｄを操作するマイクロコンピュータによる保温容器用の電気回路機構とからなっている。２５はハンドルである。
【００１１】
飲料抽出機１は給水タンク２に所定の水を給水すると給水パイプ７を通じて湯沸かしタンク５内に入り、この湯沸かしタンク５内の水をヒータ３にて加熱、沸騰させる。
更に、給水タンク２に所望の水を追加すると給水パイプ７を通じて湯沸かしタンク５内に追加の水が供給される。
【００１２】
この湯沸かしタンク５内で追加の水に相当する沸騰水がサイホン現象の働きにて吐出パイプ１０を通じてチャンバー９上部へ吐出される。このチャンバー９には濾紙を敷いた後、コーヒー粉、紅茶葉等の原料をセットし、このチャンバー９上部より吐出された沸騰水が原料と混合し、チャンバー９下部より熱い抽出液となって滴下し、保温容器１１内に溜められる。
【００１３】
この飲料抽出機１は保温容器１１が載置部１２にセットされ、保温容器用のコンセントに保温容器のプラグが差し込まれると、家庭用又は業務用のコンセントに差し込まれた飲料抽出機１のプラグより電源が保温容器１１へ入力され保温容器１１のマイクロコンピュータによる保温容器用の電気回路機構の働きにて保温容器１１の保温手段Ａに通電する。この保温手段Ａは内容器１３内に抽出液を温める保温ヒータ１４と、内容器１３内の抽出液の液温を感知する保温用センサー１６を設け、この保温用センサー１６にて液温を感知してこれを保温容器１１のマイクロコンピュータに伝え、保温ヒータ１４をＯＮ、ＯＦＦして温度制御している。
【００１４】
又、保温容器１１のマイクロコンピュータによる保温容器用の電気回路機構の働きにて保温容器１１に入力の電源が充電手段Ｃにて保温容器１１の充電器１７を急速充電する。
この充電手段Ｃによって、飲料抽出機１の給水タンク２に所望の水を追加し、サイホン現象にて湯沸かしタンク５内の追加の水に相当する沸騰水がチャンバー９内に送られ、抽出液としてチャンバー９下方より滴下する間の時間（約３分〜５分間）に充電を完了している。
【００１５】
更に、保温容器１１の操作部２４の注水スイッチをＯＮすると、保温容器１１のマイクロコンピュータによる保温容器用の電気回路機構の働きにて注水手段Ｂを操作し、注水手段Ｂの電動ポンプ２７を通電、駆動し内容器１３内の抽出液がこの電動ポンプ２７を介して揚水パイプ２８、注水パイプ２９を通り、保温容器１１の嘴部２３下端よりコップ２６等へ注水する。
【００１６】
保温容器１１の電動ポンプ２７はマイクロコンピュータによる保温容器用の電気回路機構の働きを受け、駆動切替手段Ｄによって、飲料抽出機１の載置部１２にセットされている際には保温容器１１に入力の電源にて駆動し、飲料抽出機１の載置部１２にセットされていない際には充電器１７の電源にて駆動している。この保温容器１１の充電器１７は充電が完了すると操作部２４の注水スイッチのＯＮにて内容器１３内にある抽出液全てを注水できるに必要な電動ポンプ２７への電力を備えている。
【００１７】
保温容器１１の蓋体２２はレバー操作にて蓋体上端中央を開閉自在としており、飲料抽出機１の載置部１２に保温容器１１がセットされ、飲料抽出機１の抽出液を抽出する際に、レバーを摺動して蓋体上端中央を開放し蓋体２２内部を通り内容器１３内と連通して、チャンバー９下方からの抽出液を直接内容器１３内へ滴下する。滴下終了後レバーを逆方向に摺動して蓋体上端中央を閉鎖する。
【００１８】
次に、図３はマイクロコンピュータに書き込まれたフローチャートで、図４は概略回路図で、これらに基づいてその動作を説明する。
先ず、飲料抽出機１のプラグを接続し、交流電源を直流電源に変換して、電源をＯＮにする。このＯＮにて飲料抽出機１の電気回路機構に接続する。
更に、飲料抽出機１のスイッチをＯＮしてヒータ３を駆動し、湯沸かしタンク５内の水を沸騰させる。又、湯沸かし用センサー３０を作動し、湯沸かしタンク５内の水が沸騰して所定の温度（例えば約９８℃）以上でヒータ３をＯＦＦし、所定温度以下であれば以上となるまでヒータ３をＯＮし続け、湯沸かしタンク５内の水が沸騰する所定温度に達したかどうかを確認、達すればヒータ３をＯＦＦする。
【００１９】
更に又、飲料抽出機１の抽出スイッチをＯＮすると湯沸かしタンク５内の沸騰水がチャンバー９上部より吐出し、チャンバー９下方よりコーヒー粉、紅茶葉等の原料と混合し抽出液として滴下する。
この飲料抽出機１のスイッチＯＮから飲料抽出機１の抽出スイッチＯＮまでは飲料抽出機１のマイクロコンピュータによる電気回路機構にて操作されている。
【００２０】
次に、抽出液を貯えた保温容器１１が飲料抽出機１の載置部１２にセットされた状態では、飲料抽出機１に入力の電源の一部が直接保温容器１１に入力する。これによって、保温容器１１の保温容器用の電気回路機構に接続する。更に、保温手段Ａによって保温ヒータ１４をＯＮして、保温容器１１内の抽出液を温め、保温用センサー１６の作動にて所定の温度を感知すると保温ヒータ１４をＯＦＦし、これを繰り返し所定の温度に維持している。又、充電手段Ｃによって充電器１７を充電する。
【００２１】
更に又、注水手段Ｂによって注水スイッチをＯＮすると電動ポンプ２７を駆動する。この電動ポンプ２７は駆動切替手段Ｄの自動切替えによって、飲料抽出機１に入力の電源の一部が直接保温容器１１に入力する際に、この入力された電源にて駆動し抽出液を注水する。又、飲料抽出機１より保温容器１１が離れた状態では、充電器１７の電源が注水スイッチをＯＮし、駆動切替手段Ｄの自動切替えによって、電動ポンプ２７を駆動して抽出液を注水する。
この保温容器１１の電源ＯＮから抽出液の注水まで保温容器１１の保温容器用の電気回路機構にて操作されている。
【００２２】
以上本発明の代表例と思われる実施例について説明したが、本発明は必ずしもこれらの実施例構造のみに限定されるものではなく、本発明にいう前記の構成要件を備え、かつ本発明にいう目的を達成し、以下にいう効果を有する範囲内において適宜改変して実施することができるものである。
【００２３】
【発明の効果】
以上の説明から既に明らかなように、本発明にいうところの飲料抽出機用の保温容器は、
飲料抽出機の電源をＯＮして、湯沸かしタンクを加温し、湯沸かしタンク内の高温となった高温の湯をコーヒー粉、紅茶葉等に注ぎ、暖かい抽出液として抽出し、この抽出液を保温容器内に貯え、保温すると共に保温容器の電気回路機構が飲料抽出機に保温容器をセットした状態で、飲料抽出機に入る電源より分離された一部電源で保温容器を暖める保温手段と、保温容器の充電器を充電する充電手段と、保温容器の電動ポンプを駆動して保温容器内の抽出液を注水する注水手段と、飲料抽出機より保温容器を離脱した状態でのみ、保温容器の充電された充電器の電源にて保温容器の電動ポンプを駆動する充電器動作手段とを備え、飲料時に保温容器の電気回路機構を介して保温容器の電動ポンプを駆動し、保温容器の抽出液を注水する構成としているので、保温容器が飲料抽出機にセットされた状態で、この保温容器に家庭用又は業務用の電源を直接供給できて、飲料抽出機からの抽出液を保温容器内に貯蔵できると共にこの抽出液を保温しつつ、保温容器を持ち上げ、傾けることなく、保温容器内の抽出液を注水可能とし、保温容器が飲料抽出機から離れた状態でも保温容器内の抽出液を保温すると共に保温容器を傾けることなく、保温容器内の電源で注水可能として使用に際して非常に効率がの良いという顕著な効果を期待することが出来るに至ったのである。
【図面の簡単な説明】
【図１】本発明実施例の保温容器をセットした状態の飲料抽出機の縦断面図。
【図２】本発明実施例の保温容器の縦断面図。
【図３】本発明実施例のフロ−チャ−ト図。
【図４】本発明実施例の概略回路図。
【符号の説明】
１…飲料抽出機
３…ヒータ
５…湯沸かしタンク
９…チャンバー
１１…保温容器
１３…内容器
１４…保温ヒータ
１６…保温用センサ−
１７…充電器
２７…電動ポンプ
Ａ…保温手段
Ｂ…注水手段
Ｃ…充電手段
Ｄ…駆動切替手段
【図１】
0003708863.tif 000002
【図２】
0003708863.tif 000003
【図３】
0003708863.tif 000004
【図４】
0003708863.tif 000005